(57)【要約】  光学全長の短縮に有利でありながら、良好な収差性能を有し、また光学面の有効径を小さくすることでモジュールとしてのＸＹサイズを小さく抑えることができ、ウェハスケ−ルレンズの光学設計を実現し大量生産を可能とすることで、高性能かつ低コストな撮像装置および、撮像装置を用いた携帯端末を提供する。物体側から順に、物体側に凸面を向け、像側に凹面を向けた正のパワーを有する第１レンズブロック、第２レンズから構成され、開口絞りが前記第１レンズブロックの物体側、もしくは前記第１レンズブロック内部にあり、前記第２レンズの像側面は周辺部が正のパワーを持ち、下記の条件式を満たす。  ０．６２＜ｆｌａ／ｆ＜０．８２      （１）  −４．００＜ｆ１ｂ／ｆ＜−１．１１      （２）  ０．７０＜Ｄ４／ｆ＜１．００      （３）但しｆｌａ：前記第１レンズブロック物体側レンズ部の焦点距離ｆ１ｂ：前記第１レンズブロック像側レンズ部の焦点距離Ｄ４  ：前記第１レンズブロック物体側面から前記第２レンズ像側面までの光軸上の距離ｆ    ：前記撮像レンズ全系の焦点距離
2012160983.tif 000002
【特許請求の範囲】
【請求項１】
平行平板であるレンズ基板と、その物体側面および像側面のうち少なくとも一方に形成され、正または負のパワーを有するレンズ部を備える光学要素をレンズブロックと呼ぶとき、物体側から順に、物体側に凸面を向け、像側に凹面を向けた正のパワーを有する第１レンズブロック、第２レンズから構成され、開口絞りが前記第１レンズブロックの物体側、もしくは前記第１レンズブロック内部にあり、前記第２レンズの像側面は周辺部が正のパワーを持ち、下記の条件式を満たすことを特徴とする撮像レンズ。
０．６２＜ｆｌａ／ｆ＜０．８２      （１）
−４．００＜ｆｌｂ／ｆ＜−１．１１      （２）
０．７０＜Ｄ４／ｆ＜１．００      （３）
但し
ｆｌａ：前記第１レンズブロック物体側レンズ部の焦点距離
ｆｌｂ：前記第１レンズブロック像側レンズ部の焦点距離
Ｄ４  ：前記第１レンズブロック物体側面から前記第２レンズ像側面までの光軸上の距離ｆ    ：前記撮像レンズ全系の焦点距離
【請求項２】
前記第２レンズは、平行平板であるレンズ基板と、その物体側面および像側面のうち少なくとも一方に形成され、正または負のパワーを有するレンズ部を備えるレンズブロックであることを特徴とする請求項１に記載の撮像レンズ。
【請求項３】
前記第２レンズの物体側面は、光軸近傍において物体側に凸面を有することを特徴とする請求項１又は２に記載の撮像レンズ。
【請求項４】
前記レンズ基板は樹脂材料から形成されていることを特徴とする請求項１〜３のいずれかに記載の撮像レンズ。
【請求項５】
前記第２レンズの像側面と撮像素子の撮像面との間に平行平板素子を有し、前記平行平板素子は下記の条件式を満足することを特徴とする請求項１〜４のいずれかに記載の撮像レンズ。
０．２０＜ｔ３／ｆ＜０．４０      （４）
但し、
ｔ３：前記平行平板素子の厚み（前記平行平板素子を複数有する場合は、その厚みの総和とする）
【請求項６】
前記第１レンズブロックと前記第２レンズとはスペーサー部材を介して接合されており、前記スペーサー部材は樹脂材料から形成されていることを特徴とする請求項１〜５のいずれかに記載の撮像レンズ。
【請求項７】
以下の条件式を満足することを特徴とする請求項１〜６のいずれかに記載の撮像レンズ。
０．４３＜Ｄ３／ｆ＜０．６５      （５）
但し、
Ｄ３：前記第１レンズブロック物体側面から前記第２レンズ物体側面までの光軸上の距離
【請求項８】
以下の条件式を満足することを特徴とする請求項１〜７のいずれかに記載の撮像レンズ。
０．２７＜Ｄ２／ｆ＜０．５０      （６）
但し
Ｄ２：前記第１レンズブロック物体側面から前記第１レンズブロック像側面までの光軸上の距離
【請求項９】
以下の条件式を満足することを特徴とする請求項１〜８のいずれかに記載の撮像レンズ。
２０．０＜ｖ１ｂ＜５０．０      （７）
但し、
ｖｌｂ：前記第１レンズブロック像側レンズ部のアッベ数
【請求項１０】
以下の条件式を満足することを特徴とする請求項１〜９のいずれかに記載の撮像レンズ。
１．５４＜Ｎ１ａ＜１．６５      （８）
但し、
Ｎ１ａ：前記第１レンズブロック物体側レンズ部のｄ線に対する屈折率
【請求項１１】
実質的にパワーを持たないレンズを更に有することを特徴とする請求項１〜１０のいずれかに記載の撮像レンズ。
【請求項１２】
請求項１〜１１のいずれかに記載の撮像レンズを備える撮像装置。
【請求項１３】
請求項１２に記載の撮像装置を有することを特徴とする携帯端末。
【発明の詳細な説明】
【技術分野】
【０００１】
本発明は、CCD(Charge Coupled Devices)型イメージセンサやCMOS(Complementary Meta1-oxide Semiconductor)型イメージセンサ等の固体撮像素子を用いた撮像装置の撮像レンズに関し、より詳しくは、大量生産に適するウェハスケ−ルのレンズを用いた光学系における撮像レンズ、撮像レンズを用いた撮像装置及び携帯端末に関する。
【背景技術】
【０００２】
コンパクトで薄型の撮像装置が、携帯電話機やPDA（Personal Digital Assistant）等のコンパクトで薄型の電子機器である携帯端末に搭載されるようになり、これにより遠隔地へ音声情報だけでなく画像情報も相互に伝送することが可能となっている。【０００３】
これらの撮像装置に使用される撮像素子としては、ＣＣＤ型イメージセンサやＣＭＯＳ型イメージセンサ等の固体撮像素子が使用されている。近年では撮像素子の高画素化が進んでおり、高解像、高性能化が図られてきている。また、これら撮像素子上に被写体像を形成するためのレンズは、更なる低コスト化のために、大量生産に適した樹脂で形成されるレンズが用いられるようになってきた。また、樹脂によって構成されるレンズは加工性もよく非球面形状を採ることで高性能化の要求にも応えてきた。【０００４】
このような、携帯端末に内蔵される撮像装置に用いる撮像レンズとして、プラスチックレンズ３枚構成としたタイプおよび、ガラスレンズ１枚とプラスチックレンズ２枚の３枚構成の光学系が一般的によく知られている。しかしながら、これらの撮像レンズに対する更なるコンパクト化と携帯端末に求められる量産性に対する要求が厳しくなっていく中、その両立は益々困難となっている。【０００５】
かかる問題点を克服するため、平行平板である数インチのガラス基板上にレプリカ方法によってレンズ要素を同時に大量に成形し、これらのレンズ要素が多数形成されたガラス基板（レンズウェハ）をセンサウェハと組み合わせた後、切り離し、レンズモジュールを大量生産する手法が提案されている。こうした製法によって製造されたレンズをウェハスケ−ルレンズ、また、レンズモジュールをウェハスケールレンズモジュールと呼ぶ。【０００６】
また、レンズモジュールを大量生産する手法と共に、レンズモジュールを低コストかつ大量に基板に実装する方法として、近年では予め半田がポッティングされた基板に対しIC(Integrated Circuit)チップや、その他の電子部品と共に、レンズモジュールを載置したままリフロー処理（加熱処理）し、半田を溶融させることにより電子部品とレンズモジュールとを基板に同時実装するという手法が提案されており、リフロー処理に耐え得る耐熱性に優れた撮像レンズも求められている。【０００７】
このような撮像レンズとして、レンズブロックを２枚構成とした、特許文献１〜３に示すものが提案されている。
【先行技術文献】
【特許文献】
【０００８】
【特許文献１】特許第3929479号明細書
【特許文献２】米国特許第7457053号明細書
【特許文献３】特開2011−22494号公報
【発明の開示】
【発明が解決しようとする課題】
【０００９】
ここで、特許文献１に示される撮像レンズは第１レンズブロックの物体側レンズ部および像側レンズ部のパワーが強過ぎるため、収差補正能力が不足しており、固体撮像素子の高画素化に十分対応できているとは言い難い。又、特許文献２に示される撮像レンズは、第１レンズブロックの物体側レンズ部のパワーが弱いため、光学全長の短縮が不十分である。更に、特許文献３に記載の撮像レンズは、第１レンズブロックのパワーが強過ぎることによる収差補正不足、もしくは、第１レンズブロック物体側面から第２レンズブロックの像側面までの光軸上の距離が長過ぎるため、第２レンズブロック像側面の有効径が大きくなってしまい、その有効径に合わせてレンズモジュールのＸＹサイズを大きくしなければならないという課題がある。【００１０】
本発明は、このような状況を鑑みてなされたものであり、光学全長の短縮に有利でありながら、良好な収差性能を有し、また光学面の有効径を小さくすることでモジュールとしてのＸＹサイズを小さく抑えることができ、ウェハスケ−ルレンズの光学設計を実現し大量生産を可能とすることで、高性能かつ低コストである撮像装置および、撮像装置を用いた携帯端末を提供することを目的とする。
【課題を解決するための手段】
【００１１】
請求項１に記載の撮像レンズは、平行平板であるレンズ基板と、その物体側面および像側面のうち少なくとも一方に形成され、正または負のパワーを有するレンズ部を備える光学要素をレンズブロックと呼ぶとき、物体側から順に、物体側に凸面を向け、像側に凹面を向けた正のパワーを有する第１レンズブロック、第２レンズから構成され、開口絞りが前記第１レンズブロックの物体側、もしくは前記第１レンズブロック内部にあり、前記第２レンズの像側面は周辺部が正のパワーを持ち、下記の条件式を満たすことを特徴とする。
０．６２＜ｆｌａ／ｆ＜０．８２      （１）
−４．００＜ｆｌｂ／ｆ＜−１．１１      （２）
０．７０＜Ｄ４／ｆ＜１．００      （３）
但し
ｆｌａ：前記第１レンズブロック物体側レンズ部の焦点距離
ｆｌｂ：前記第１レンズブロック像側レンズ部の焦点距離
Ｄ４  ：前記第１レンズブロック物体側面から前記第２レンズ像側面までの光軸上の距離ｆ    ：前記撮像レンズ全系の焦点距離【００１２】
撮像レンズを２枚構成とすることで、１枚構成よりも高性能で、かつ３枚構成よりも全長が短い撮像レンズとすることができる。第１レンズブロックの物体側面が物体側に凸面を向けていることにより、主点位置を物体側にすることができるため、光学全長を小さくすることが出来る。又、開口絞りを第１レンズブロックの物体側、もしくは第１レンズブロック内部に配置することで、射出瞳位置を物体側に寄せることができるので、撮像素子に対するテレセントリック特性が良好になる。更に、第２レンズ像側面の周辺部を凸とすることで、周辺光線の撮像素子ヘの入射角を垂直に近づける方向に屈折させるため、テレセントリック特性が悪くなりすぎることを防ぐことができる。【００１３】
又、条件式（１）の値が上限を下回ることで、目標とする光学全長を達成することが出来る。一方、条件式（１）の値が下限を上回ることで、正のパワーが強すぎることによる高次収差の発生を抑えることができる。好ましくは以下の式を満たすことである。
０．６６＜ｆｌａ／ｆ＜０．７７      （１’）【００１４】
更に、条件式（２）の値が下限を上回ることで、高次の球面収差やコマ収差、倍率色収差の発生を防ぐことができる。また、第１レンズブロックの像側面の曲率半径が極端に小さい場合、最大像高よりも大きな入射角で入射した光線が第１レンズブロック像側面から射出される際、射出された光線が大きく跳ねあげられ再度第１レンズブロック像側面に反射されることによりゴーストを発生する懸念があるが、条件式（２）の値が下限を上回ることでゴーストの発生を防ぐことができる。一方、条件式（２）の値が上限を下回ることでペッツバール和が小さくなり、像面湾曲を小さく抑えることが出来る。好ましくは以下の式を満たすことである。
−３．５０＜ｆｌｂ／ｆ＜−１．１３      （２’）【００１５】
又、条件式（３）の値が上限を下回ることで、第２レンズブロック像側面が撮像面より遠ざかり、周辺光線の入射高さが低くなり有効径が小さくなるため、撮像レンズの光軸垂直方向のサイズを小さく抑えることが出来る。一方、条件式（３）の値が下限を上回ることで、第２レンズブロック像側面に入射する周辺像高の光線高さが低くなりすぎることによって、像面湾曲の補正が不足することを防ぐことができる。好ましくは以下の式を満たすことである。
０．７５＜Ｄ４／ｆ＜０．９５      （３’）【００１６】
請求項２に記載の撮像レンズは、請求項１に記載の発明において、前記第２レンズは、平行平板であるレンズ基板と、その物体側面および像側面のうち少なくとも一方に形成され、正または負のパワーを有するレンズ部を備えるレンズブロックであることを特徴とする。【００１７】
第２レンズをレンズブロックとすることで、レンズ基板を有するため、レンズ基板上に遮光絞りを配置し追加の遮光部材を省略したり、ＩＲカットコートを施してＩＲカット機能を待った別部材を省略することが出来る。また、レンズ基板の物体側と像側とで異なる樹脂材料を使用することで、色収差の補正を良好にすることが出来る。【００１８】
請求項３に記載の撮像レンズは、請求項１又は２に記載の発明において、前記第２レンズの物体側面は、光軸近傍において物体側に凸面を有することを特徴とする。【００１９】
第２レンズが物体側に凸面を向けることで、正のパワーを第１レンズブロック物体側面と分担することができるため、高次の球面収差の発生などを防ぐことが出来る。【００２０】
請求項４に記載の撮像レンズは、請求項１〜３のいずれかに記載の発明において、前記レンズ基板は樹脂材料から形成されていることを特徴とする。【００２１】
ウエハレンズを個片化するためのダイシングにおいて、ダイシング時に生じる応力とともに、温度が上昇する際に、絞りやレンズ、IRカット部材が剥離したり、割れたりすることがあった。レンズ基板に樹脂材料を用いることで、レンズ部とレンズ基板との線膨張係数を近づけることができるため、前記のようなダイシングの温度上昇時や、リフローなどの高温にさらされた場合や、低温環境においても、膨張の差によりレンズ部やレンズ基板に設けられた絞りやIRカット部材がレンズ基板から剥がれることなどを防ぐことが出来る。又、じん性に富む樹脂材料を用いることで、薄いレンズ基板でも、取扱いによる割れや、レンズ成形後の硬化収縮による変形での割れを低減することができ、生産性が向上する。第１レンズブロックと第２レンズブロックの内、少なくとも一方のレンズ基板を樹脂製とすれば足りる。【００２２】
請求項５に記載の撮像レンズは、請求項１〜４のいずれかに記載の発明において、前記第２レンズの像側面と撮像素子の撮像面との間に平行平板素子を有し、前記平行平板素子は下記の条件式を満足することを特徴とする。
０．２０＜ｔ３／ｆ＜０．４０      （４）
但し、
ｔ３：前記平行平板素子の厚み（前記平行平板素子を複数有する場合は、その厚みの総和とする）【００２３】
前記第２レンズと撮像素子の撮像面との間に平行平板素子を設けることで、撮像レンズに付着したゴミの撮像面ヘの落下を防ぐことができる。また、平行平板素子にコートすることで、赤外カットや反射率低減の効果を持たせることができる。条件式（４）の値が上限を下回ることで、平行平板素子の厚みが厚くなりすぎず、光学全長が大きくなってしまうことを避けられる。一方、条件式（４）の値が下限を上回ることで、平行平板の厚みが薄くなりすぎず、取扱いが難しくなることを避けることが出来る。更に、望ましくは以下の式を満たすことである。
０．２５＜ｔ３／ｆ＜０．３５      （４’）【００２４】
請求項６に記載の撮像レンズは、請求項１〜５のいずれかに記載の発明において、前記第１レンズブロックと前記第２レンズとはスペーサー部材を介して接合されており、前記スペーサー部材は樹脂材料から形成されていることを特徴とする。【００２５】
第１レンズブロックと第２レンズとを、スペーサー部材を介して接合することにより、第１レンズブロックと第２レンズとの間隔を所定の間隔に決めることができる。又、このように接合することで、レンズ製造後に偏芯などが生じることを抑制できる。更に、じん性に富む樹脂材料のスペーサー部材とすることで、薄くても取扱い等による割れを低減することが出来る。また、スペーサー部材の熱膨張による寸法変化により、温度変化時のレンズの面形状変化によって起こるバックフォーカスの変化を打消すこともできる。又、これにより前記第１レンズブロックや前記第２レンズの素材として樹脂を用いた場合に、その体積を減らすことが出来、コストの低減や製造容易性を図ることができる。【００２６】
請求項７に記載の撮像レンズは、請求項１〜６のいずれかに記載の発明において、以下の条件式を満足することを特徴とする。
０．４３＜Ｄ３／ｆ＜０．６５      （５）
但し、
Ｄ３：前記第１レンズブロック物体側面から前記第２レンズ物体側面までの光軸上の距離  【００２７】
条件式（５）の値が下限を上回ることで、第２レンズの物体側面が撮像面に近くなり、周辺光線の入射高さが高くなるため、非点収差や像面湾曲の補正に有利になる。一方、条件式（５）の値が上限を下回ることで、第２レンズ物体側面の有効径が大きくなりすぎることを防ぐことができる。更に、望ましくは以下の条件式を満たすことである。
０．４７＜Ｄ３／ｆ＜０．６０      （５’）【００２８】
請求項８に記載の撮像レンズは、請求項１〜７のいずれかに記載の発明において、以下の条件式を満足することを特徴とする。
０．２７＜Ｄ２／ｆ＜０．５０      （６）
但し
Ｄ２：前記第１レンズブロック物体側面から前記第１レンズブロック像側面までの光軸上の距離【００２９】
条件式（６）の値が下限を上回ることで、第１レンズブロックの厚みが薄くなりすぎず、製造を容易にすることが出来る。一方、条件式（６）の値が上限を下回ることで第１レンズブロック像側面に入射する軸上光線高が高くなるため、色収差や球面収差の補正に有利になる。更に、望ましくは以下の条件式を満たすことである。
０．３０＜Ｄ２／ｆ＜０．４０      （６’）【００３０】
請求項９に記載の撮像レンズは、請求項１〜８のいずれかに記載の発明において、以下の条件式を満足することを特徴とする。
２０．０＜ｖ１ｂ＜５０．０      （７）
但し、
ｖｌｂ：前記第１レンズブロック像側レンズ部のアッベ数【００３１】
条件式（７）の範囲の材料を用いることで、最適な色収差補正とすることができる。更に、望ましくは以下の条件式を満たすことである。
２５．０＜ｖ１ｂ＜４５．０      （７’）【００３２】
請求項１０に記載の撮像レンズは、請求項１〜９のいずれかに記載の発明において、以下の条件式を満足することを特徴とする。
１．５４＜Ｎ１ａ＜１．６５      （８）
但し、
Ｎ１ａ：前記第１レンズブロック物体側レンズ部のｄ線に対する屈折率【００３３】
条件式（８）の範囲の材料を用いることで、全長の短縮と、像面湾曲を低減することが出来る。更に、望ましくは以下の条件式を満たすことである。
１．５５＜Ｎｌａ＜１．６３      （８’）【００３４】
請求項１１に記載の撮像レンズは、請求項１〜１０のいずれかに記載の発明において、実質的にパワーを持たないレンズを更に有することを特徴とする。つまり、請求項１の構成に、実質的にパワーを持たないダミーレンズを付与した場合でも本発明の適用範囲内である。【００３５】
請求項１２に記載の撮像装置は、請求項１〜１１のいずれかに記載の撮像レンズを有することを特徴とする。【００３６】
本発明の撮像レンズを用いることで、小型かつ高性能な撮像装置を得ることができる。【００３７】
請求項１３に記載の携帯端末は、請求項１２に記載の撮像装置を備えることを特徴とする。【００３８】
本発明の撮像装置を用いることで、より小型かつ高性能な携帯端末を得ることができる。
【発明の効果】
【００３９】
本発明によれば、光学全長の短縮に有利でありながら、良好な収差性能を有し、また光学面の有効径を小さくすることでモジュールとしてのＸＹサイズを小さく抑えることができ、ウェハスケ−ルレンズの光学設計を実現し大量生産を可能とすることで、高性能かつ低コストである撮像装置および、撮像装置を用いた携帯端末を提供することができる。
【図面の簡単な説明】
【００４０】
【図１】本実施形態にかかる撮像装置ＬＵの斜視図である。
【図２】図１の構成を矢印II-II線で切断して矢印方向に見た断面図である。
【図３】携帯電話機Ｔを示す図である。
【図４】撮像レンズＬＮの製造工程（ａ）（ｂ）（ｃ）を示す図である。
【図５】実施例１にかかる撮像レンズの断面図である。
【図６】実施例１にかかる撮像レンズの球面収差（ａ）、非点収差（ｂ）、及び歪曲収差（ｃ）の収差図である。
【図７】実施例２にかかる撮像レンズの断面図である。
【図８】実施例２にかかる撮像レンズの球面収差（ａ）、非点収差（ｂ）、及び歪曲収差（ｃ）の収差図である。
【図９】実施例３にかかる撮像レンズの断面図である。
【図１０】実施例３にかかる撮像レンズの球面収差（ａ）、非点収差（ｂ）、及び歪曲収差（ｃ）の収差図である。
【図１１】実施例４にかかる撮像レンズの断面図である。
【図１２】実施例４にかかる撮像レンズの球面収差（ａ）、非点収差（ｂ）、及び歪曲収差（ｃ）の収差図である。
【図１３】実施例５にかかる撮像レンズの断面図である。
【図１４】実施例５にかかる撮像レンズの球面収差（ａ）、非点収差（ｂ）、及び歪曲収差（ｃ）の収差図である。
【図１５】実施例６にかかる撮像レンズの断面図である。
【図１６】実施例６にかかる撮像レンズの球面収差（ａ）、非点収差（ｂ）、及び歪曲収差（ｃ）の収差図である。
【図１７】実施例７にかかる撮像レンズの断面図である。
【図１８】実施例７にかかる撮像レンズの球面収差（ａ）、非点収差（ｂ）、及び歪曲収差（ｃ）の収差図である。
【発明を実施するための形態】
【００４１】
以下、本発明の実施形態を図面に基づいて説明する。図１は、本実施形態にかかる撮像装置ＬＵの斜視図であり、図２は、図１の構成を矢印II-II線で切断して矢印方向に見た断面図である。図２に示すように、撮像装置ＬＵは、光電変換部５１ａを有する固体撮像素子としてのＣＭＯＳ型イメージセンサＳＲと、このイメージセンサＳＲの光電変換部（受光面）ＳＳに被写体像を撮像させる撮像レンズＬＮと、イメージセンサＳＲを保持すると共にその電気信号の送受を行う外部接続用端子（不図示）を有する基板５２とを備え、これらが一体的に形成されている。尚、撮像レンズＬＮは、物体側（図２で上方）から順に、第１レンズブロックＢＫ１と、第２レンズブロックＢＫ２とを有する。尚、第２レンズブロックＢＫ２の代わりに１枚玉の第２レンズを用いても良い。このレンズブロックＢＫ１，ＢＫ２は、例えば、レンズ基板ＬＳにて対向する２面（物体側基板面および像側基板面）にレンズＬを連ねてなる。なお、”連なる”とは、レンズ基板ＬＳの基板面とレンズＬとが直接に接着状態にあること、または、レンズ基板ＬＳの基板面とレンズＬとが別部材を介しながら間接に接着状態にあることを意味する。
【００４２】
上記イメージセンサＳＲは、その受光側の平面の中央部に、画素（光電変換素子）が２次元的に配置された、受光部としての光電変換部ＳＳが形成されており、不図示の信号処理回路に接続されている。かかる信号処理回路は、各画素を順次駆動し信号電荷を得る駆動回路部と、各信号電荷をデジタル信号に変換するＡ／Ｄ変換部と、このデジタル信号を用いて画像信号出力を形成する信号処理部等から構成されている。また、イメージセンサＳＲの受光側の平面の外縁近傍には、多数のパッド（図示略）が配置されており、不図示のワイヤを介して基板５２に接続されている。イメージセンサＳＲは、光電変換部５１ａからの信号電荷をデジタルＹＵＶ信号等の画像信号等に変換し、ワイヤ（不図示）を介して基板５２上の所定の回路に出力する。ここで、Ｙは輝度信号、Ｕ（＝Ｒ−Ｙ）は赤と輝度信号との色差信号、Ｖ（＝Ｂ−Ｙ）は青と輝度信号との色差信号である。なお、固体撮像素子は上記ＣＭＯＳ型のイメージセンサに限定されるものではなく、ＣＣＤ等の他のものを使用しても良い。
【００４３】
イメージセンサＳＲを支持する基板５２は、不図示の配線により、イメージセンサＳＲに対して通信可能に接続されている。
【００４４】
基板５２は、不図示の外部接続用端子を介して外部回路（例えば、撮像装置を実装した携帯端末の上位装置が有する制御回路）と接続し、外部回路からイメージセンサＳＲを駆動するための電圧やクロック信号の供給を受けたり、また、デジタルＹＵＶ信号を外部回路へ出力したりすることを可能とする。
【００４５】
イメージセンサＳＲの上部は、基板５２の上面に固定された赤外線カットフィルタなどのプレート（平行平板素子ともいう）ＰＴにより封止されている。プレートＰＴの上面には、スペーサー部材Ｂ２の下端が固定されている。更に、スペーサー部材Ｂ２の上端には、第２レンズブロックＢＫ２が固定され、第２レンズブロックＢＫ２の上面には、別のスペーサー部材Ｂ１の下端が固定され、スペーサー部材Ｂ１の上端には、第１レンズブロックＢＫ１が固定されている。
【００４６】
第１レンズブロックＢＫ１は、平行平板である樹脂製の第１レンズ基板ＬＳ１と、その物体側及び像面側に固着された樹脂製のレンズ部Ｌ１ａ，Ｌ１ｂとからなり、第２レンズブロックＢＫ２は、平行平板である樹脂製の第２レンズ基板ＬＳ２と、その物体側及び像面側に固着された樹脂製のレンズ部Ｌ２ａ，Ｌ２ｂとからなる。第１レンズブロックＢＫ１は物体側に凸面を向け、像側に凹面を向けた正のパワーを有し、第２レンズブロックＢＫ２の像側面は周辺部が正のパワーを持つ。なお、第１レンズ基板ＬＳ１と第２レンズ基板ＬＳ２はガラス製の基板であってもよい。
【００４７】
第１レンズブロックＢＫ１において、第１レンズ基板ＬＳ１の物体側面上に形成された物体側レンズ部Ｌ１ａは、その物体側面が物体側に凸面形状を有している。又、第１レンズ基板ＬＳ１の像側面上に形成された像側レンズ部Ｌ１ｂは、その像側面が像側に凹面形状を有している。尚、第１レンズ基板ＬＳ１の物体側面に遮光膜を形成し、その中央に光が透過可能な円形開口を設けることで、開口絞りＳとしてよいが、それに限られない。
【００４８】
第２レンズブロックＢＫ２において、第２レンズ基板ＬＳ２の物体側面上に形成された物体側レンズ部Ｌ２ａは、その物体側面が物体側に光軸近傍で凸面形状を有している。又、第２レンズ基板ＬＳ２の像側面上に形成された像側レンズ部Ｌ２ｂは、その像側面が像側に光軸近傍で凹面形状を有している。
【００４９】
更に、下記の条件式を満たす。
０．６２＜ｆｌａ／ｆ＜０．８２      （１）
−４．００＜ｆ１ｂ／ｆ＜−１．１１      （２）
０．７０＜Ｄ４／ｆ＜１．００      （３）
但し
ｆｌａ：第１レンズブロック物体側レンズ部の焦点距離
ｆ１ｂ：第１レンズブロック像側レンズ部の焦点距離
Ｄ４  ：第１レンズブロック物体側面から第２レンズ像側面までの光軸上の距離
ｆ    ：撮像レンズ全系の焦点距離
【００５０】
通常、撮像レンズＬＮは、画像入力機能付きデジタル機器（例えば携帯端末）への使用に適する。なぜなら、撮像レンズと撮像素子等とを組み合わせて含むデジタル機器は、被写体の映像を光学的に取り込んで電気的な信号として出力する撮像装置になるためである。
【００５１】
撮像装置は、被写体の静止画および動画を撮影するカメラの主たる構成要素（光学装置）であり、例えば、物体（すなわち被写体）側から順に、物体の光学像を形成する撮像レンズと、その撮像レンズにより形成された光学像を電気的な信号に変換する撮像素子と、を含む。
【００５２】
カメラの例としては、デジタルカメラ、ビデオカメラ、監視カメラ、車載カメラ、およびテレビ電話用カメラが挙げられる。また、カメラは、パーソナルコンピュータ、携帯端末（例えば、携帯電話、モバイルコンピュータ等のコンパクトで携帯可能な情報機器端末）、これらの周辺機器（スキャナー、プリンター等）、および、その他のデジタル機器等に内蔵または外付けされてもよい。
【００５３】
これらの例からわかるように、撮像装置を搭載することでカメラが構成されるだけでなく、撮像装置を搭載することでカメラ機能を有する各種機器が構成される。例えば、カメラ付き携帯電話等の画像入力機能付きデジタル機器が構成される。
【００５４】
図３は、画像入力機能付きデジタル機器の一例である携帯端末ＣＵのブロック図である。この図での携帯端末ＣＵに搭載されている撮像装置ＬＵは、撮像レンズＬＮ、平行平板素子ＰＴ、およびイメージセンサＳＲを含む（平行平板素子ＰＴを含めて撮像レンズＬＮと称する場合もある）。
【００５５】
撮像レンズＬＮは、物体（すなわち被写体）側から順に、物体の光学像(像面)ＩＭを形成する。詳説すると、撮像レンズＬＮは、例えばレンズブロックＢＫ１，ＢＫ２を含み、イメージセンサＳＲの受光面ＳＳ上に光学像ＩＭを形成する。
【００５６】
なお、撮像レンズＬＮで形成されるべき光学像ＩＭは、例えば、イメージセンサＳＲの画素ピッチにより決定される所定の遮断周波数特性を有する光学的ローパスフィルター(図３での平行平板素子ＰＴ)を通過する。この通過により、電気的な信号に変換される場合に発生するいわゆる折り返しノイズが最小化されるように、空間周波数特性が調整される。
【００５７】
そして、この空間周波数特性の調整により、色モアレの発生が抑えられる。ただし、解像限界周波数周辺の性能が抑えられれば、光学的ローパスフィルタを用いなくても、ノイズが発生しない。また、ノイズのあまり目立たない表示系（例えば、携帯電話の液晶画面等）を用いて、ユーザーが撮影や鑑賞を行う場合、光学的ローパスフィルタは不要である。
【００５８】
平行平板素子ＰＴは、例えば、必要に応じて配置される光学的ローパスフィルタ、赤外カットフィルタ等の光学フィルタである（なお、平行平板素子ＰＴは、イメージセンサＳＲのカバーガラス等に相当することもある）。
【００５９】
イメージセンサＳＲは、撮像レンズＬＮにより受光面ＳＳ上に形成された光学像ＩＭを電気的な信号に変換する。例えば、複数の画素を有するＣＣＤ(Charge Coupled Device)型イメージセンサおよびＣＭＯＳ(Complementary Metal-Oxide Semiconductor)型イメージセンサが撮像素子（固体撮像素子）として挙げられる。なお、撮像レンズＬＮは、イメージセンサＳＲの受光面ＳＳ上に被写体の光学像ＩＭを形成させるように位置する。そのため、撮像レンズＬＮによって形成された光学像ＩＭは、イメージセンサＳＲによって電気的な信号に効率よく変換される。
【００６０】
なお、このような撮像装置ＬＵが画像入力機能付きの携帯端末ＣＵに搭載される場合、通常、携帯端末ＣＵのボディ内部に撮像装置ＬＵが配置される。ただし、携帯端末ＣＵがカメラ機能を発揮する場合には、撮像装置ＬＵが必要に応じた形態になる。例えば、ユニット化した撮像装置ＬＵが、携帯端末ＣＵの本体に対して着脱自在または回動自在になっていてもよい。
【００６１】
ところで、携帯端末ＣＵは、撮像装置ＬＵの他に、信号処理部１、制御部２、メモリ３、操作部４、および表示部５を含む。
【００６２】
信号処理部１は、イメージセンサＳＲで生成された信号に対して、例えば、所定のデジタル画像処理および画像圧縮処理を必要に応じて施す。そして、処理の施された信号は、デジタル映像信号としてメモリ３（半導体メモリ、光ディスク等）に記録されたり、ケーブルを介して赤外線信号に変換され、他の機器に伝送されたりする。
【００６３】
制御部２は、マイクロコンピュータであり、撮影機能、画像再生機能等の機能制御等を集中的に行う。例えば、制御部２は、被写体の静止画撮影および動画撮影のうちの少なくとも一方を行うように、撮像装置ＬＵを制御する。
【００６４】
メモリ３は、例えば、イメージセンサＳＲで生成されるとともに信号処理部１にて処理された信号を記憶する。
【００６５】
操作部４は、操作ボタン（例えばレリーズボタン）、操作ダイヤル（例えば撮影モードダイヤル）等の操作部材を含む部分であり、操作者の操作入力した情報を制御部２に伝達する。
【００６６】
表示部５は、液晶モニター等のディスプレイを含む部分であり、イメージセンサＳＲによって変換された画像信号またはメモリ３に記録されている画像情報を用いて画像表示を行う。
【００６７】
以下、撮像レンズＬＮの製造方法について説明する。尚、ここでは第１レンズブロックと第２レンズブロックをレプリカ法で製作する場合について述べるが、第１レンズブロックのみをレプリカ法で製作し、第２レンズを単玉で射出成形して両者を接合しても良い。
図４（ａ）の断面図に示すような、複数のレンズブロックＢＫを並べて含むレンズブロックユニットＵＴは、例えば、多数のレンズを同時に作製できるとともに低コストであるレプリカ法で製造される（なお、レンズブロックユニットＵＴに含まれるレンズブロックＢＫの数は単数であっても複数であってもよい）。
【００６８】
また、レプリカ法は、樹脂基板上に、金型を用いて硬化性の樹脂材料をレンズ形状にして転写する。これにより、このレプリカ法では、樹脂基板上に、多数のレンズが同時に作製される。このとき樹脂を全面に滴下して、金型によって一度に複数のレンズを形成してもよいし、樹脂を個別に滴下して同じ金型でスタンプのように個別に成形をおこなってもよい。又、レプリカ法に限らず、別な製造方法により製造しても良い。
【００６９】
そして、これらのような方法によって製造されたレンズブロックユニットＵＴから、撮像レンズＬＮが製造される。この撮像レンズの製造工程の一例を、図４（ｂ）の概略断面図で示す。
【００７０】
第１のレンズブロックユニットＵＴ１は、平行平板である第１レンズ基板ＬＳ１と、その一方の平面に接着されたレンズ部Ｌ１ａと、他方の平面に接着されたレンズ部Ｌ１ｂと、で構成される。
【００７１】
第２のレンズブロックユニットＵＴ２は、平行平板である第２レンズ基板ＬＳ２と、その一方の平面に接着されたレンズ部Ｌ２ａと、他方の平面に接着されたレンズ部Ｌ２ｂと、で構成される。
【００７２】
格子状のスペーサー部材Ｂ１は、第１のレンズブロックユニットＵＴ１と第２のレンズブロックユニットＵＴ２との間（具体的には、第１レンズ基板ＬＳ１と第２レンズ基板ＬＳ２との間）に介在し、両レンズブロックユニットＵＴ１・ＵＴ２の間隔を一定に保つ。
さらに、スペーサー部材Ｂ２は、平行平板素子ＰＴと第２のレンズブロックユニットＵＴ２との間に介在し、平行平板素子ＰＴとレンズブロックユニットＵＴ２との間隔を一定に保つ（つまり、スペーサー部材Ｂ１、Ｂ２は２段格子といえる）。そして、スペーサー部材Ｂ１、Ｂ２の格子の穴の部分に、各レンズ部Ｌ１ａ〜２ｂが位置する。
【００７３】
なお、平行平板素子ＰＴは、マイクロレンズアレイを含むウェハレベルのセンサーチップサイズパッケージ、あるいはセンサーカバーガラスまたはＩＲカットフィルタ等の平行平面板（図３での平行平板素子ＰＴに相当するもの）である。
【００７４】
そして、スペーサー部材Ｂ１が、第１のレンズブロックユニットＵＴ１と第１のレンズブロックユニットＵＴ２との間、およびスペーサー部材Ｂ２が、第２のレンズブロックユニットＵＴ２と平行平板素子ＰＴとの間に介在することで、レンズ基板ＬＳ同士（第１レンズ基板ＬＳ１と第２レンズ基板ＬＳ２と）が、封止され一体化する。
【００７５】
そして、一体化した第１レンズ基板ＬＳ１、第２レンズ基板ＬＳ２、スペーサー部材Ｂ１、Ｂ２および平行平板素子ＰＴが、スペーサー部材Ｂ１、Ｂ２の格子枠（破線Ｑの位置）に沿って切断されると、図４（ｃ）に示すように、２枚玉構成の撮像レンズＬＮが複数得られる。
【００７６】
このように、複数のレンズブロック（第１レンズブロックＢＫ１および第２レンズブロックＢＫ２）の組み込まれた部材が切り離されることで、撮像レンズＬＮが製造されると、撮像レンズＬＮ毎のレンズ間隔の調整および組み立てが不要になる。そのため、撮像レンズＬＮの大量生産が可能となる。
【００７７】
しかも、スペーサー部材Ｂ１、Ｂ２が格子形状である。そのため、このスペーサー部材Ｂ１、Ｂ２が、複数のレンズブロックＢＫ１，ＢＫ２の組み込まれた部材から撮像レンズＬＮを切り離す場合の印にもなる。したがって、複数のレンズブロックＢＫ１，ＢＫ２の組み込まれた部材から撮像レンズＬＮが簡単に切り離され、手間がかからない。その結果、撮像レンズが安価に大量生産できる。
【００７８】
以上を踏まえると、撮像レンズＬＮの製造方法は、レンズブロックＢＫ１，ＢＫ２の周縁の少なくとも一部にスペーサー部材Ｂ１を並べ、複数のレンズブロックユニットＵＴ１，ＵＴ２を、スペーサー部材Ｂ１を介在させてつなげる連結工程と、つながるレンズブロックユニットＵＴ１，ＵＴ２を、スペーサー部材Ｂ１に沿って切断する切断工程と、を含む。そして、このような製造方法は、安価なレンズ系の量産に向いている。
【実施例】
【００７９】
次に、上述した実施形態に好適な実施例について説明する。但し、以下に示す実施例により本発明が限定されるものではない。実施例における各符号の意味は以下の通りである。
FL：撮像レンズ全系の焦点距離
Fno：Fナンバー
Ymax：固体撮像素子の撮像面対角線長
ｗ ：半画角
TL：撮像レンズ全系の最も物体側のレンズ面から像側焦点までの光軸上の距離
BF：バックフォーカス
ｒ：曲率半径
ｄ：軸上面間隔
nd：レンズ材料のd線に対する屈折率
vd：レンズ材料のd線に対するアッベ数【００８０】
ただし、各レンズ部の焦点距離は、レンズ基板の物体側に形成されるレンズ部の場合は、そのレンズの物体側および像側が空気で満たされるという状態のもとで求められた値である。また、レンズ基板の像側に形成されるレンズ部の場合も、そのレンズの物体側および像側が空気で満たされるという状態のもとで求められた値である。【００８１】
各実施例において、各面番号の後に「＊」が記載されている面が非球面形状を有する面であり、非球面の形状は、面の頂点を原点とし、光軸方向にＸ軸をとり、光軸と垂直方向の高さをｈとして以下の「数１」で表す。【００８２】
【数１】
2012160983.tif 000003
ただし、
Ａｉ：ｉ次の非球面係数
Ｒ  ：基準曲率半径
Ｋ  ：円錐定数
である。【００８３】
なお、請求項ならびに実施例に記載の近軸曲率半径の意味合いについて、実際のレンズ測定の場面においては、レンズ中央近傍(具体的には、レンズ外径に対して10%以内の中央領域)での形状測定値を最小自乗法でフィッティングした際の近似曲率半径を近軸曲率半径であるとみなすことができる。【００８４】
また、例えば２次の非球面係数を使用した場合には、非球面定義式の基準曲率半径に2次の非球面係数も勘案した曲率半径を近軸曲率半径とみなすことができる（例えば参考文献として、松居吉哉著「レンズ設計法」(共立出版株式会社)のP41〜42を参照のこと）。【００８５】
また、以降（表のレンズデータを含む）において、１０のべき乗数（例えば、２．５×１０−０２）をＥ（例えば２．５ｅ−００２）を用いて表すものとする。また、レンズデータの面番号は第１レンズの物体側を１面として順に付与した。なお、実施例に記載の長さを表す数値の単位はすべてｍｍとする。【００８６】
（実施例１）
実施例１におけるレンズデータを表１に示す。図５は実施例１のレンズの断面図である。物体側から順に、第１物体側レンズ部Ｌ１ａ、開口絞りＳ、第１レンズ基板ＬＳ１、第１像側レンズ部Ｌ１ｂより、正のパワーを有する第1レンズブロックＢＫ１が構成され、次に、単玉の第２レンズＬ２が配置され、最後に固体撮像素子のシールガラス等を想定した平行平板素子ＰＴが設けられている。ＩＭは固体撮像素子の撮像面である。【００８７】
［実施例1］
［表1］
Reference Wave Length = 587.56 nm
unit: mm
Construction Data
NUM.       r          d         d      vd     eff.diameter
OBJ    INFINITY     400.0000                     
1*      0.4873      0.1190   1.56587  34.99    0.453
STO    INFINITY       0.3089   1.51690  61.89    0.377
3     INFINITY      0.0500   1.56494  34.99    0.487
4*      0.8057      0.1591                     0.520
5*      1.2157      0.3045   1.51500  51.99    0.724
6*      2.5787      0.0851                     1.003
7     INFINITY      0.3500   1.47140  66.01    1.136
8     INFINITY      0.0676                     1.332
IMG    INFINITY      0.0329                      
ASPHERICAL SURFACE
1:K=1.65918e+000,A3=-7.87366e-001,A4=5.83475e+000,A5=-1.23052e+001,A6=-1.42136e+002,A8=3.02996e+003,A10=-3.57451e+004,A12=1.43968e+005
4:K=-5.65823e+001,A3=6.28068e-001,A4=3.00129e+000,A6=7.74543e+001,A8=-1.99521e+003,A10=8.84810e+003,A12=1.68638e+005,A14=2.64918e+005,A16=-1.75174e+007,A18=-1.99876e+007
5:K=-3.00000e+001,A4=-1.58845e+000,A6=-2.99162e+001,A8=5.86010e+002,A10=-5.96898e+003,A12=3.35530e+004,A14=-9.12256e+004,A16=9.30355e+004
6:K=-7.56873e+000,A4=-8.51293e-001,A6=-7.78094e+000,A8=3.84309e+001,A10=-1.23938e+002,A12=1.22997e+002,A14=1.99080e+002,A16=-6.24597e+002
FL       1.1510
Fno       2.8815
w      60.3285
Ymax    0.7140
BF       0.4235
TL       1.3650
Elem   Surfs   Focal Length    Diameter
1     1- 4      1.401018      0.5197
2     5- 6      4.150589      1.0029
【００８８】
図６は実施例１の収差図（球面収差（ａ）、非点収差（ｂ）、歪曲収差（ｃ））である。ここで、球面収差図及びメリディオナルコマ収差図において、実線はｄ線、点線はｇ線に対する球面収差量及びメリディオナルコマ収差量をそれぞれ表し、非点収差図において、実線はサジタル面、点線はメリディオナル面を表す（以下、同じ）。【００８９】
（実施例２）
実施例２におけるレンズデータを表２に示す。図７は実施例２のレンズの断面図である。物体側から順に、第１物体側レンズ部Ｌ１ａ、開口絞りＳ、第１レンズ基板ＬＳ１、第１像側レンズ部Ｌ１ｂより、正のパワーを有する第１レンズブロックＢＫ１が構成され、次に、単玉の第２レンズＬ２が配置され、最後に固体撮像素子のシールガラス等を想定した平行平板素子ＰＴが設けられている。ＩＭは固体撮像素子の撮像面である。【００９０】
［実施例2］
［表2］
Reference Wave Length = 587.56 nm
unit: mm
Construction Data
NUM.       r           d        nd     vd     eff.diameter
OBJ     INFINITY    400.0000                      
1*      0.4959      0.1058   1.56587  34.99     0.433
STO     INFINITY      0.2000   1.51690  61.89     0.370
3     INFINITY      0.0500   1.56494  34.99     0.439
4*      0.7285      0.1466                      0.472
5*      1.2258      0.3000   1.51500  51.99     0.650
6*     -5.1894      0.0851                      0.885
7     INFINITY      0.3500   1.47140  66.01     0.998
8     INFINITY      0.2238                      1.184
IMG     INFINITY      0.0722                      
ASPHERICAL SURFACE
1:K=2.83968e+000,A3=-3.99623e-001,A4=2.45457e+000,A5=-1.89676e+001,A6=-1.01073e+002,A8=3.13669e+003,A10=-4.58398e+004,A12=5.14751e+003
4:K=-1.15325e+002,A3=3.47401e+000,A4=-6.62006e+000,A6=4.35694e+001,A8=-9.79704e+002,A10=1.66214e+004,A12=8.83191e+004,A14=-2.07937e+006,A16=-4.32312e+007,A18=5.94464e+008
5:K=1.00110e+001,A4=-9.30582e-001,A6=-4.99360e+001,A8=6.32117e+002,A10=-5.61766e+003,A12=2.80249e+004,A14=-1.53557e+005,A16=4.75995e+005
6:K=1.39021e+001,A4=1.10879e+000,A6=-1.49539e+001,A8=4.35373e+001,A10=-8.99008e+001,A12=1.23256e+002,A14=-1.51511e+003,A16=3.09747e+003
FL       1.1203
Fno       2.8815
w      61.1451
Ymax    0.7140
BF       0.6126
TL       1.4149
Elem   Surfs   Focal Length    Diameter
1     1- 4      1.753357      0.4717
2     5- 6      1.956544      0.8851
【００９１】
図８は実施例２の収差図（球面収差（ａ）、非点収差（ｂ）、歪曲収差（ｃ））である。【００９２】
（実施例３）
実施例３におけるレンズデータを表３に示す。図９は実施例３のレンズの断面図である。物体側から順に、第１物体側レンズ部Ｌ１ａ、開口絞りＳ、第１レンズ基板ＬＳ１、像側レンズ部Ｌ１ｂより、第１レンズブロックＢＫ１が構成され、次に、第２物体側レンズ部Ｌ２ａ、第２レンズ基板ＬＳ２、第２像側レンズ部Ｌ２ｂより、第２レンズブロックＢＫ２が構成され、最後に固体撮像素子のシールガラス等を想定した平行平板素子ＰＴが設けられている。ＩＭは固体撮像素子の撮像面である。【００９３】
［実施例3］
［表3］
Reference Wave Length = 587.56 nm
unit: mm
Construction Data
NUM.       r           d        nd     vd     eff.diameter
OBJ     INFINITY    400.0000                    
1*      0.4401      0.1434   1.56289  34.99     0.462
STO     INFINITY      0.2052   1.52000  52.99     0.367
3     INFINITY      0.0500   1.56289  34.99     0.380
4*      0.9554      0.1358                      0.416
5*   -131.0666      0.0499   1.56289  34.99     0.529
6     INFINITY      0.2500   1.52000  52.99     0.616
7     INFINITY      0.2050   1.56289  34.99     0.917
8*     23.6946      0.1000                      1.053
9     INFINITY      0.3000   1.47400  56.39     1.215
10     INFINITY     -0.0038                      1.412
IMG     INFINITY      0.0200                      
ASPHERICAL SURFACE
1:K=2.95228e-002,A4=-1.33842e+000,A6=8.72220e+001,A8=-2.11581e+003,A10=1.70180e+004
4:K=1.03340e+001,A4=1.35867e+000,A6=-1.19278e+002,A8=4.34554e+003,A10=-4.85266e+004
5:K=1.00215e+003,A4=-4.90104e+000,A6=2.05682e+001,A8=-2.74401e+002,A10=-3.90403e+003,A12=6.36983e+004,A14=-2.57140e+005
8:K=-2.78766e+001,A4=-2.55967e-001,A6=-6.39372e+000,A8=1.76376e+001,A10=-2.56484e+001
FL       1.1412
Fno       2.8600
w      62.5392
Ymax    0.7140
BF       0.3197
TL       1.3591
Elem   Surfs   Focal Length    Diameter
1     1- 4      1.130203      0.4620
2     5- 8    -35.607068      1.0527
【００９４】
図１０は実施例３の収差図（球面収差（ａ）、非点収差（ｂ）、歪曲収差（ｃ））である。【００９５】
（実施例４）
実施例４におけるレンズデータを表４に示す。図１１は実施例４のレンズの断面図である。物体側から順に、第１物体側レンズ部Ｌ１ａ、開口絞りＳ、第１レンズ基板ＬＳ１、像側レンズ部Ｌ１ｂより、第１レンズブロックＢＫ１が構成され、次に、第２物体側レンズ部Ｌ２ａ、第２レンズ基板ＬＳ２、第２像側レンズ部Ｌ２ｂより、第２レンズブロックＢＫ２が構成され、最後に固体撮像素子のシールガラス等を想定した平行平板素子ＰＴが設けられている。ＩＭは固体撮像素子の撮像面である。【００９６】
［実施例4］
［表4］
Reference Wave Length = 587.56 nm
unit: mm
Construction Data
NUM.       r           d        nd     vd     eff.diameter
OBJ     INFINITY    400.0000                       0.000
1*      0.4630      0.1392   1.56587  34.99      0.455
STO     INFINITY      0.2050   1.51690  61.89      0.357
3     INFINITY      0.0500   1.56494  34.99      0.435
4*      0.7131      0.1934                       0.470
5*      1.0165      0.0733   1.56587  34.99      0.791
6     INFINITY      0.1000   1.51690  61.89      0.841
7     INFINITY      0.1489   1.51617  55.99      0.943
8*      1.9846      0.0851                       1.045
9     INFINITY      0.4000   1.47140  66.01      1.156
10     INFINITY      0.0337                       1.373
IMG     INFINITY      0.0189                    
ASPHERICAL SURFACE
1:K=1.45390e+000,A3=-7.24831e-001,A4=5.42784e+000,A5=-9.58421e+000,A6=-1.33157e+002,A8=2.63640e+003,A10=-3.73321e+004,A12=2.24055e+005
4:K=-1.00860e+002,A3=1.64973e+000,A4=2.31647e+000,A6=4.49760e+001,A8=-1.97183e+003,A10=1.23904e+004,A12=2.49476e+005,A14=9.55310e+005,A16=-2.59728e+007,A18=-3.57101e+008
5:K=-3.50689e+001,A4=-3.67584e-001,A6=-3.05948e+001,A8=5.93690e+002,A10=-5.98207e+003,A12=3.31288e+004,A14=-9.31231e+004,A16=1.04191e+005
8:K=3.08075e+000,A4=-1.31342e+000,A6=-4.36704e+000,A8=3.52088e+001,A10=-1.27175e+002,A12=1.00962e+002,A14=2.54701e+002,A16=-3.05267e+002
FL       1.1147
Fno       2.8815
w      64.3536
Ymax    0.7140
BF       0.4095
TL       1.3194
Elem   Surfs   Focal Length    Diameter
1     1- 4      1.474927      0.4705
2     5- 8      3.056598      1.0452
【００９７】
図１２は実施例４の収差図（球面収差（ａ）、非点収差（ｂ）、歪曲収差（ｃ））である。【００９８】
（実施例５）
実施例５におけるレンズデータを表５に示す。図１３は実施例５のレンズの断面図である。物体側から順に、第１物体側レンズ部Ｌ１ａ、開口絞りＳ、第１レンズ基板ＬＳ１、像側レンズ部Ｌ１ｂより、第１レンズブロックＢＫ１が構成され、次に、第２物体側レンズ部Ｌ２ａ、第２レンズ基板ＬＳ２、第２像側レンズ部Ｌ２ｂより、第２レンズブロックＢＫ２が構成され、最後に固体撮像素子のシールガラス等を想定した平行平板素子ＰＴが設けられている。ＩＭは固体撮像素子の撮像面である。【００９９】
［実施例5］
［表5］
Reference Wave Length = 587.56 nm
unit: mm
Construction Data
NUM.       r           d        nd     vd     eff.diameter
OBJ     INFINITY    400.0000                      
1*      0.5238      0.2000   1.56289  34.99     0.515
STO     INFINITY      0.2050   1.52000  52.99     0.359
3     INFINITY      0.0500   1.56289  34.99     0.380
4*      2.4613      0.1551                      0.413
5*    -11.5163      0.0500   1.51720  56.27     0.507
6     INFINITY      0.2000   1.52000  52.99     0.637
7     INFINITY      0.1926   1.56289  34.99     0.906
8*      6.1743      0.1000                      1.024
9     INFINITY      0.3000   1.47400  56.39     1.194
10     INFINITY      0.0263                      1.368
IMG     INFINITY      0.0270                      
ASPHERICAL SURFACE
1:K=-1.21742e+000,A4=-2.56387e-001,A6=7.29057e+001,A8=-3.09998e+003,A10=8.17950e+004,A12=-1.26684e+006,A14=1.02562e+007,A16=-3.23908e+007
4:K=3.00000e+001,A4=-2.26301e-001,A6=-1.14109e+002,A8=3.31290e+003,A10=-4.02841e+004,A12=-4.11162e+002,A14=-1.43176e+003,A16=2.98287e+004
5:K=-3.00000e+001,A4=-8.55698e+000,A6=6.98454e+001,A8=-4.17210e+002,A10=-4.10570e+004,A12=5.19506e+005,A14=3.41692e+006,A16=-9.23239e+007
8:K=-3.00000e+001,A4=-6.30900e-001,A6=-1.07823e+001,A8=6.64253e+001,A10=-2.41169e+002,A12=2.79477e+002,A14=4.92080e+002,A16=-1.38644e+003
FL       1.1519
Fno       2.8600
w      62.6494
Ymax    0.7140
BF       0.3498
TL       1.4026
Elem   Surfs   Focal Length    Diameter
1     1- 4      1.088980      0.5208
2     5- 8     -7.285662      1.0644
【０１００】
図１４は実施例５の収差図（球面収差（ａ）、非点収差（ｂ）、歪曲収差（ｃ））である。【０１０１】
（実施例６）
実施例６におけるレンズデータを表６に示す。図１５は実施例６のレンズの断面図である。物体側から順に、第１物体側レンズ部Ｌ１ａ、開口絞りＳ、第１レンズ基板ＬＳ１、像側レンズ部Ｌ１ｂより、第１レンズブロックＢＫ１が構成され、次に、第２物体側レンズ部Ｌ２ａ、第２レンズ基板ＬＳ２、第２像側レンズ部Ｌ２ｂより、第２レンズブロックＢＫ２が構成され、最後に固体撮像素子のシールガラス等を想定した平行平板素子ＰＴが設けられている。ＩＭは固体撮像素子の撮像面である。【０１０２】
［実施例6］
［表6］
Reference Wave Length = 587.56 nm
unit: mm
Construction Data
NUM.       r           d         nd     vd     eff.diameter
OBJ     INFINITY     400.0000                      
1*      0.4159       0.1195   1.56289  34.99     0.455
STO     INFINITY       0.2103   1.52000  52.99     0.391
3     INFINITY       0.0550   1.56289  34.99     0.380
4*      0.7788       0.1448                      0.411
5*     -6.2051       0.0526   1.51720  56.27     0.532
6     INFINITY       0.2018   1.52000  52.99     0.644
7     INFINITY       0.2000   1.56289  34.99     0.908
8*    -13.0253       0.1000                      1.025
9     INFINITY       0.3000   1.47400  56.39     1.202
10     INFINITY       0.0431                      1.369
IMG     INFINITY       0.0100                      
ASPHERICAL SURFACE
1:K=-1.28503e+000,A4=1.23205e+000,A6=6.83314e+001,A8=-1.45208e+003,A10=1.18411e+004
4:K=4.08643e+000,A4=2.91597e+000,A6=-1.38844e+002,A8=4.76354e+003,A10=-4.16599e+004,A12=-6.30303e-003,A14=-1.08202e-001
5:K=-3.00000e+001,A4=-3.07290e+000,A6=-1.27286e+002,A8=3.64177e+003,A10=-3.72791e+004,A12=-1.44164e+005,A14=2.96669e+006
8:K=-2.99507e+001,A4=-2.44118e-001,A6=-7.94952e+000,A8=2.58503e+001,A10=-4.75500e+001
FL       1.1857
Fno       2.8600
w      60.5477
Ymax    0.7140
BF       0.3487
TL       1.3327
Elem   Surfs   Focal Length    Diameter
1     1- 4      1.142285      0.4554
2     5- 8    -25.594240      1.0252
【０１０３】
図１６は実施例６の収差図（球面収差（ａ）、非点収差（ｂ）、歪曲収差（ｃ））である。【０１０４】
（実施例７）
実施例７におけるレンズデータを表７に示す。図１７は実施例７のレンズの断面図である。物体側から順に、第１物体側レンズ部Ｌ１ａ、開口絞りＳ、第１レンズ基板ＬＳ１、像側レンズ部Ｌ１ｂより、第１レンズブロックＢＫ１が構成され、次に、第２物体側レンズ部Ｌ２ａ、第２レンズ基板ＬＳ２、第２像側レンズ部Ｌ２ｂより、第２レンズブロックＢＫ２が構成され、最後に固体撮像素子のシールガラス等を想定した平行平板素子ＰＴが設けられている。ＩＭは固体撮像素子の撮像面である。【０１０５】
［実施例7］
［表7］
Reference Wave Length = 587.56 nm
unit: mm
Construction Data
NUM.       r           d         nd     vd     eff.diameter
OBJ     INFINITY     600.0000                      
1*      0.6236       0.1500   1.51784  56.10     0.590
STO     INFINITY       0.3050   1.51000  62.39     0.494
3     INFINITY       0.1810   1.51784  56.10     0.422
4*      1.2308       0.1260                      0.572
5*      1.5401       0.0580   1.51784  56.10     0.724
6     INFINITY       0.3000   1.51000  62.39     0.818
7     INFINITY       0.1920   1.51784  56.10     1.238
8*      1.8445       0.1380                      1.402
9     INFINITY       0.5000   1.47140  66.01     1.630
10     INFINITY       0.0050                      1.981
IMG    INFINITY        0.0000                      
ASPHERICAL SURFACE
1:K=1.79120e+000,A3=-1.17350e+000,A4=1.81695e+001,A5=-1.30023e+002,A6=3.91848e+002,A8=-4.20685e+003,A10=8.88289e+004,A12=-1.29992e+006,A14=9.68907e+006,A16=-2.80628e+007
4:K=-3.39260e+001,A3=1.52360e+000,A4=-1.50040e+001,A5=4.69460e+001,A6=1.05630e+001,A8=-1.09630e+003,A10=9.43880e+003,A12=-3.81090e+004,A14=5.87560e+004
5:K=-7.58610e+000,A3=9.73190e-001,A4=-1.53070e+001,A5=5.35330e+001,A6=-7.00910e+001,A8=-1.44260e+002,A10=1.12470e+003,A12=6.39880e+003,A14=-8.66270e+004,A16=2.11840e+005
8:K=-5.00000e+0010,A4=-9.65860e-003,A6=-3.50620e+000,A8=1.75210e+001,A10=-6.09420e+001,A12=1.22910e+002,A14=-1.34010e+002,A16=5.83690e+001
FL       1.5029
Fno       2.8680
w      50.7006
Ymax    0.8800
BF       0.4822
TL       1.7942
Elem   Surfs   Focal Length    Diameter
1     1- 4      1.797171      0.5900
2     5- 8     11.136791      1.4020
【０１０６】
図１８は実施例７の収差図（球面収差（ａ）、非点収差（ｂ）、歪曲収差（ｃ））である。【０１０７】
各条件式に対応する実施例の値を表８にまとめて示す。【０１０８】
【表８】
2012160983.tif 000004
【０１０９】
本発明は、明細書に記載の実施形態、実施例に限定されるものではなく、他の実施形態・実施例・変形例を含むことは、本明細書に記載された実施形態や実施例や技術的思想から本分野の当業者にとって明らかである。明細書の記載及び実施例は、あくまでも例証を目的としており、本発明の範囲は後述するクレームによって示されている。
【符号の説明】
【０１１０】
Ｂ 操作ボタン
Ｂ１ 第１スペーサー部材
Ｂ２ 第２スペーサー部材
ＢＫ レンズブロック
ＢＫ１ 第１レンズブロック
ＢＫ２ 第２レンズブロック
Ｌ１ａ 第１物体側レンズ部
Ｌ１ｂ 第１像側レンズ部
Ｌ２ａ 第２物体側レンズ部
Ｌ２ｂ 第２像側レンズ部
ＬＮ 撮像レンズ
ＬＳ レンズ基板
ＬＳ１ 第１レンズ基板
ＬＳ２ 第２レンズ基板
ＬＵ 撮像装置
ＭＣ 撮像装置
ＰＴ 平行平板素子
Ｓ 開口絞り
ＳＲ イメージセンサ
ＳＳ 光電変換部
Ｔ 携帯電話機
ＵＴ レンズブロックユニット
ＵＴ１ 第１レンズブロックユニット
ＵＴ２ 第２レンズブロックユニット
【図１】
2012160983.tif 000005
【図２】
2012160983.tif 000006
【図３】
2012160983.tif 000007
【図４】
2012160983.tif 000008
【図５】
2012160983.tif 000009
【図６】
2012160983.tif 000010
【図７】
2012160983.tif 000011
【図８】
2012160983.tif 000012
【図９】
2012160983.tif 000013
【図１０】
2012160983.tif 000014
【図１１】
2012160983.tif 000015
【図１２】
2012160983.tif 000016
【図１３】
2012160983.tif 000017
【図１４】
2012160983.tif 000018
【図１５】
2012160983.tif 000019
【図１６】
2012160983.tif 000020
【図１７】
2012160983.tif 000021
【図１８】
2012160983.tif 000022
【国際調査報告】
2012160983.tif 000023
2012160983.tif 000024
2012160983.tif 000025
2012160983.tif 000026